(57)【要約】【課題】ワンタッチでフルロックを伴う連結操作が行えると同時に、不用意に連結が解除される虞の少ない中継コネクタを提供する。【解決手段】ソケット６０とプラグ７０との装着によって、各導線Ｃ１，Ｃ２どうしの電気的接触が得られ、装着状態に保持するロック機構８０が、ソケット６０の先端側端面から軸心方向に沿って立設され、径方向に弾性変形可能な係止爪４と、係止爪４に設けられた係止部４ｆと径方向で係止されるようにプラグ７０の外周部に形成された被係止部９とを備え、係止状態の係止部４ｆを覆うカバー部１３がプラグ７０に移動不能に設けられている中継コネクタ１００とした。【選択図】図３
2009230924.tif 000002
【特許請求の範囲】
【請求項１】
ソケットと同ソケットに装着されるプラグとを有し、前記装着によって前記ソケットおよび前記プラグに配された各導線どうしの電気的接触が得られ、さらに、前記ソケットおよび前記プラグを装着状態に保持するロック機構を備えた中継コネクタであって、
前記ロック機構が、前記ソケットの先端側端面から軸心方向に沿って立設され、径方向に弾性変形可能な係止爪と、前記係止爪に設けられた係止部と径方向で係止されるように前記プラグの外周部に形成された被係止部とを備え、
前記プラグに対して移動不能で係止状態における前記係止部を覆うカバー部が前記プラグに設けられている中継コネクタ。
【請求項２】
前記係止爪を係止解除方向に揺動操作するロック解除具を受け入れ可能な空間が前記カバー部の内側に設けられている請求項１に記載の中継コネクタ。
【請求項３】
係止状態における前記係止爪の先端部と周方向で対向する延出部が前記ソケットに設けられている請求項１または２に記載の中継コネクタ。
【請求項４】
前記係止爪が前記軸心側を中心とする円弧状に湾曲した断面形状を備えている請求項１から３のいずれか一項に記載の中継コネクタ。
【請求項５】
前記ソケットに配された導線は、前記ソケットに対する後方からの圧入操作に基づいて装着される端子に接続されており、前記端子には、装着後の前記導線の前記ソケットからの後方向きの変位を規制する第１保持機構として、前記圧入操作の完了に基づいて変形状態から解放されて前記ソケットの被係合部と係合するランスが設けられ、同時に、装着後の前記端子の前記ソケットからの前方向きの変位を規制する第２保持機構として、前記ソケットの内面に突出形成された規制部と軸心方向で接当する被規制部が設けられている請求項１から４のいずれか一項に記載の中継コネクタ。
【請求項６】
前記プラグに配された導線は、前記プラグに対する後方からの圧入操作に基づいて装着される棒状端子に接続されており、前記ソケットに装着された前記端子は前記棒状端子を弾性的に受け入れる一対の板バネ状端子を備え、前記被規制部は前記一対の板バネ状端子と基端部を共有する板状部材である請求項５に記載の中継コネクタ。
【請求項７】
前記各導線の一部の外周には、導線の前記ソケットまたは前記プラグに対する圧入に応じて、前記ソケットまたは前記プラグの円筒状基端部に内嵌されるチューブ状のパッキンが外嵌されており、前記パッキンの外周と内周の一方に少なくとも１つの第１環状リブが設けられており、前記パッキンの外周と内周の他方には、前記第１環状リブを間に配置させるように互いに軸心方向に離間した少なくとも２つの第２環状リブが設けられている請求項１から６のいずれか一項に記載の中継コネクタ。
【請求項８】
太陽発電パネルの出力部から発電された電力を取り出すための電気的ジョイントとして用いられる請求項１から７のいずれか一項に記載の中継コネクタ。
【発明の詳細な説明】
【技術分野】
【０００１】
本発明は、ソケットと同ソケットに装着されるプラグとを有し、前記装着によって前記ソケットおよび前記プラグに配された各導線どうしの電気的接触が得られ、さらに、前記ソケットおよび前記プラグを装着状態に保持するロック機構を備えた中継コネクタに関する。
【背景技術】
【０００２】
この種の中継コネクタに関連する先行技術文献情報として下記に示す特許文献１がある。この特許文献１に記された中継コネクタは、ソケット側の外周にバネ状の一対のロック爪がプラグに向かって延びるように設けられ、プラグ側にはロック爪の係止部を受け入れる一対のロック孔が設けられている。そこで、一対のロック爪を内径方向に指などで押さえ付けた状態で、また、このロック爪がロック孔と角度的に合う状態で、ソケットとプラグとを同軸状に向き合わせ、さらに互いに近接させれば、ロック爪がロック孔に係止され、言わばワンタッチでフルロックを伴う連結操作が行える。また、ソケット側の外周に軸心方向に沿って変位自在に配置されたロック解除リングをプラグから離間する方向にスライド操作すれば、このロック解除用リングの内面がロック爪を内径方向に揺動操作することで、ワンタッチでの連結解除が行える。
【０００３】
【特許文献１】実案登録第３１０９６２０号公報（段落番号０００４、図１、図３）
【発明の開示】
【発明が解決しようとする課題】
【０００４】
しかし、特許文献１に記された中継コネクタでは、連結状態の中継コネクタを配した機器を取り扱っている間に、ロック解除リングが機器の一部などに触れることにより不用意にスライド操作され、連結が解除されてしまう虞があった。
【０００５】
また、特許文献１に記された中継コネクタでは、ソケットに装着した導線の後方向きの抜け出しと、後方からの水などの進入を防止するために、ソケットの後端に雄ネジ部を設け、ソケットと導線の間にゴム筒を介装させた状態で、この雄ネジ部に専用の袋ナットを螺合すると、袋ナットの後端付近に形成されたテーパ面によってソケットの最後端の複数の爪部がゴム筒を内側に変形させて、導線の被覆部を把持する構成となっている。このため、ソケットの他に専用の袋ナットが必要となり、また、ソケットと導線の接続に煩雑な作業が必要となっている。
【０００６】
そこで、本発明の目的は、上に例示した従来技術による中継コネクタの持つ欠点に鑑み、ワンタッチでフルロックを伴う連結操作が行えると同時に、不用意に連結が解除される虞の少ない中継コネクタを提供することにある。
また、本発明の別の目的は、ソケットの他に専用の部品が不要で、また、ソケットと導線の接続に煩雑な作業を要しない中継コネクタを提供することにある。
【課題を解決するための手段】
【０００７】
本発明の第１の特徴構成は、ソケットと同ソケットに装着されるプラグとを有し、前記装着によって前記ソケットおよび前記プラグに配された各導線どうしの電気的接触が得られ、さらに、前記ソケットおよび前記プラグを装着状態に保持するロック機構を備えた中継コネクタであって、
前記ロック機構が、前記ソケットの先端側端面から軸心方向に沿って立設され、径方向に弾性変形可能な係止爪と、前記係止爪に設けられた係止部と径方向で係止されるように前記プラグの外周部に形成された被係止部とを備え、
前記プラグに対して移動不能で係止状態における前記係止部を覆うカバー部が前記プラグに設けられている点にある。
【０００８】
本発明の第１の特徴構成による中継コネクタでは、プラグの被係止部との連結を完了したソケットの係止部は、プラグに設けられたカバー部によって覆われるので、連結状態の中継コネクタを配した機器を取り扱っている最中などに、係止部が作業着の一部などに引っ掛かって揺動操作され、連結が不用意に解除される虞が抑制される。しかも、カバー部はプラグに対して移動不能に設けてあるので、カバー部が不用意にスライド操作されて連結が解除される虞も少ない。
【０００９】
本発明の他の特徴構成は、前記係止爪を係止解除方向に揺動操作するロック解除具を受け入れ可能な空間が前記カバー部の内側に設けられている点にある。
【００１０】
本構成であれば、プラグおよびソケットとは全く別途に用意されたロック解除具を、プラグとカバー部の間に設けられている空間に差し込むことで、係止爪が係止解除方向に揺動操作され、確実に連結解除される。
【００１１】
本発明の他の特徴構成は、係止状態における前記係止爪の先端部と周方向で対向する延出部が前記プラグに設けられている点にある。
【００１２】
本構成であれば、プラグの被係止部との連結を完了したソケットの係止爪の先端部とソケットの外周面との間隙部が、プラグに設けられた延出部によって覆われることになるので、連結状態の中継コネクタを配した機器を取り扱っている最中などに、係止爪が作業着の一部などに引っ掛かって揺動操作され、連結が不用意に解除される虞が抑制される。
【００１３】
また、本構成であれば、プラグとソケットとを連結させる際には、このプラグの延出部をソケットの係止爪の先端部と周方向で対向するように両部材を近接させれば自動的に正しく連結が行われる。したがって、プラグとソケットとの角度位相を指先の感触のみによって判断できるので、作業者の目視による角度合わせ操作が困難な作業環境下でも、完全な手探りによる操作で確実な連結が容易に実施可能となる。
【００１４】
本発明の他の特徴構成は、前記係止爪が前記軸心側を中心とする円弧状に湾曲した断面形状を備えている点にある。
【００１５】
本構成であれば、係止爪を比較的に薄い素材で構成しても十分な弾性復元力が得られるので、結果的にソケットをより小型化し易くなる。
【００１６】
本発明の他の特徴構成は、前記ソケットに配された導線は、前記ソケットに対する後方からの圧入操作に基づいて装着される端子に接続されており、前記端子には、装着後の前記導線の前記ソケットからの後方向きの変位を規制する第１保持機構として、前記圧入操作の完了に基づいて変形状態から解放されて前記ソケットの被係合部と係合するランスが設けられ、同時に、装着後の前記端子の前記ソケットからの前方向きの変位を規制する第２保持機構として、前記ソケットの内面に突出形成された規制部と軸心方向で接当する被規制部が設けられている点にある。
【００１７】
例えば、特許文献１に記された中継コネクタでは、ソケットに後方から装着した導線の後方向きの抜け出し、および、後方からの水の進入を防止するために、ソケットの後端に設けた雄ネジ部に専用の袋ナットを螺合する、煩雑な接続作業を要する複雑な構成となっている。
【００１８】
しかし、本構成であれば、導線をソケットに対して後方から圧入するだけのワンタッチ操作で、第１保持機構として導線に設けられたランスが変形状態から解放されてソケットの被係合部と係合し、抜け出しを規制された導線装着が実施される。しかも、導線をソケットに対して後方から圧入すれば、導線に第２保持機構として設けられた規制部がソケットの内面に突出形成された被規制部と軸心方向で対向するので、装着した導線のソケットからの前方向きの変位も同時に規制される。したがって、導線は、ソケットに対して後方から圧入するだけで、前後方向にがたつきの無いように装着される。
【００１９】
本発明の他の特徴構成は、前記プラグに配された導線は、前記プラグに対する後方からの圧入操作に基づいて装着される棒状端子に接続されており、前記ソケットに装着された前記端子は前記棒状端子を弾性的に受け入れる一対の板バネ状端子を備え、前記被規制部は前記一対の板バネ状端子と基端部を共有する板状部材である点にある。
【００２０】
本構成であれば、板バネ状端子を、ソケットの内面に突出形成されたリブを接当して受ける板状部材の基端部から一体的に延設させることになるので、板バネ状端子が機械的に補強される。また、導線をソケットに装着する際にも、板バネ状端子の側面などに異物が当たって損傷することが板状部材によって防がれる。
【００２１】
本発明の他の特徴構成は、前記各導線の一部の外周には、導線の前記ソケットまたは前記プラグに対する圧入に応じて、前記ソケットまたは前記プラグの円筒状基端部に内嵌されるチューブ状のパッキンが外嵌されており、前記パッキンの外周と内周の一方に少なくとも１つの第１環状リブが設けられており、前記パッキンの外周と内周の他方には、前記第１環状リブを間に配置させるように互いに軸心方向に離間した少なくとも２つの第２環状リブが設けられている点にある。
【００２２】
本構成であれば、導線をソケットまたはプラグに圧入するだけで、ソケットまたはプラグの円筒状基端部と導線との間にチューブ状のパッキンが挟着されるので、導線をソケットまたはプラグに対して簡単に水密状態で装着される。しかも、パッキンの内外周の他方に設けた少なくとも２つの第２環状リブは、パッキンの内外周の一方に設けた第１環状リブを軸心方向から挟むように配置してあるので、導線をパッキンと共にソケットまたはプラグの円筒状基端部に内嵌させる際の挿入感触が向上し、同時に、パッキンの径方向での厚さを比較的薄く抑えたままで高い防水性能が得られる。
【００２３】
本発明の他の特徴構成は、太陽発電パネルの出力部から発電された電力を取り出すための電気的ジョイントとして用いられる点にある。
【００２４】
本構成であれば、戸外の環境に晒されることの多い太陽発電パネルの出力部から引き出された電気的ジョイントとして用いた時に、その全天候型の防水性能が特に有効となる。
【発明を実施するための最良の形態】
【００２５】
以下に本発明による最良の実施形態について図面を参照しながら説明する。
図１及び図２に示す中継コネクタ１００は、ソケット６０と同ソケット６０に装着されるプラグ７０とを有し、同装着によってソケット６０に配されたケーブルＣ１とプラグ７０に配されたケーブルＣ２との電気的接触が得られるものである。
【００２６】
（ソケットとプラグ）
図１から図３に示すように、ソケット６０は、比較的に小径の円筒状を呈した基端部２と、基端部２の先端から一体的に延設された大径の本体部３とを備える。本体部３の先端からは一対の係止爪４が延設されている。また、本体部３の内部には本体部３よりも若干短い内筒部５が設けられ、本体部３の内周と内筒部５の外周との間には基端側で閉じられた環状空間Ｓ１が形成されている。また、各係止爪４の先端にはテーパ状の案内面４ａが設けられており、案内面４ａよりも少し基端側には矩形の貫通孔４ｈが設けられている。案内面４ａと貫通孔４ｈとの中間部位が係止部４ｆを構成する。係止爪４は軸心を中心とする円弧状の断面形状を備え、外力に基づいて外径方向に弾性変形可能である。
【００２７】
プラグ７０は、やはり比較的に小径の円筒状を呈した基端部１０と、基端部１０の先端から一体的に延設された僅かに大径の本体部１１とを備える。基端部１０と本体部１１との間には隔壁部１２が設けられ、隔壁部１２の中央には貫通孔状の係止部１２ｈが形成されている。また、基端部１０の外周面の一部には、ソケット６０の一対の係止爪４と係合可能な被係止部９が突出形成されている。被係止部９の先端側にはテーパ状の案内面９ａが設けられている。さらに、基端部１０には、被係止部９の基端側付近を外径側から覆う一対のカバー部１３が一体的に形成されている。図５に示すように、基端部１０の外周面とカバー部１３との間には、ソケット６０の係止爪４を受け入れ可能で、且つ、係止爪４の外径方向への揺動を許す厚さの空間Ｓ２が形成されている。
【００２８】
ソケット６０とプラグ７０とを、互いの軸心が略一致し、且つ、係止爪４がカバー部１３の下方に来るような姿勢で向き合わせ、次第に近接させて行くと、先ず、一対の係止爪４の先端に形成された案内面４ａが、プラグ７０の案内面９ａと接当して、係止部４ｆが外径方向に揺動操作され、最終的に係止部４ｆの後端が被係止部９を乗り越えると、係止爪４が揺動する前の内径側の初期状態に戻り、被係止部９と係合したロック状態が確立される。したがって、ソケット６０の係止部４ｆとプラグ７０の被係止部９とは互いに協働してワンタッチでフルロックが実施されるロック機構８０を構成する。
【００２９】
また、上記の近接移動に基づいてソケット６０の係止部４ｆとプラグ７０の被係止部９とが互いに係合するのと略同時に、プラグ７０の円筒状の本体部１１の先端が、ソケット６０の閉じられた環状空間Ｓ１の底に突き当たり、本体部３の内周と内筒部５の外周との間に挟着され、環状空間Ｓ１の全体が本体部１１によって埋められる。さらに、この時、プラグ７０の外周に外嵌されているゴム製のシールリング１４が、ソケット６０の本体部３の内周面に圧着されて、水密状のシールが達成される。
【００３０】
図２および図３（ａ）に示すように、係止部４ｆと被係止部９とによるロックが完了した状態では、ソケット６０の係止部４ｆは、プラグ７０のカバー部１３の下に隠されるので、連結が不用意に解除される虞が抑制される。
カバー部１３の一部からは、係合状態における係止爪４の先端部と周方向で対向する延出部１３ｐが一体的に延設されている。図２に示すように、この延出部１３ｐは、係止爪４の先端部とソケット６０の外周面との間隙部を覆うことになるので、係止爪４が作業着の一部などに引っ掛かって揺動操作され、連結が不用意に解除される虞が抑制される。
【００３１】
尚、連結された中継コネクタ１００を連結解除する際に用いる特殊補助具として、図３（ｂ）に示すロック解除リング９０が用意されている。ロック解除リング９０は、周方向の一部が欠損した概して環状の部材であり、その一端にはテーパ状の案内面９０ａが形成されている。ロック解除リング９０を、欠損部からケーブルＣ２を導入するようにして、ケーブルＣ２に被せ、後端側からプラグ７０に近接させて行くと、案内面９０ａが係止部４ｆを外径方向に揺動操作し、最終的に係止部４ｆが被係止部９を外径側に越えると、係合状態が解除され、プラグ７０をソケット６０から離脱可能となる。
【００３２】
（ソケットとケーブル）
図４（ａ）に示すように、ソケット６０に配されるケーブルＣ１の先端にはソケット専用の金属製の端子２０が接続されている。図７に示すように、端子２０は、幅の短い第１圧着部２５、および、第１圧着部２５の基端側から一体的に延設された第２圧着部２６を備える。第１圧着部２５はケーブルＣ１の最先端の小径部（導体部）に圧着され、第２圧着部２６はケーブルＣ１の中径部（被覆内層）に圧着されている。第１圧着部２５の先端側には、矩形の筒状部２０ｔ（基端部の一例）が一体的に延設されている。筒状部２０ｔの左右の側壁部の先端からは更に一対の板バネ状端子２１が延設され、筒状部２０ｔの底壁部の先端からは、板バネ状端子２１の側面に沿って底板部材２２（板状部材および被規制部の一例）が延設されている。ソケット６０とプラグ７０とを互いに連結した時、板バネ状端子２１は、プラグ７０に配されたケーブルＣ２の棒状の端子３１を左右から挟み込むように弾性的に挟持することで、両者の電気的な接続が確立される。
【００３３】
筒状部２０ｔの左右の側壁部には、端子２０の基端側に向かって斜め外側に延びた一対のランス２３が設けられている。端子２０をソケット６０に対して後方から挿入して行くと、先ず、ランス２３の先端がソケット６０の基端部２の内壁面に形成されたテーパ状の操作面２ｂによって内側に揺動変形される。さらに挿入すると、ランス２３の先端が係止部２ｃを乗り越え、外力の作用しない開いた状態に弾性的に復帰され、係止部２ｃの先端側の面と係合した形となる。このように、ランス２３とソケット６０の係止部２ｃとは、端子２０のソケット６０からの抜け出し（後方向きの変位）を規制する「第１保持機構」として機能する。
【００３４】
また、このように端子２０がソケット６０に抜け出し不能に装着された時、同時に、底板部材２２の先端が、ソケット６０の内部に立設されたリブ５Ｒ（規制部の一例）の基端側の端面と殆ど間隙を有さない状態で対向する。その結果、装着された端子２０は、前方向きと後方向きのいずれにも殆ど変位不能となり、がたつきが防止される。底板部材２２とソケット６０のリブ５Ｒとは、端子２０のソケット６０に対して前方向きの変位を規制する「第２保持機構」として機能する。
【００３５】
（プラグとケーブル）
図４（ｂ）に示すように、プラグ７０に配されるケーブルＣ２の先端にはプラグ専用の金属製の端子３０が接続されている。端子３０は、幅の短い第１圧着部３５、および、第１圧着部３５の基端側から一体的に延設された第２圧着部３６を備える。第１圧着部３５はケーブルＣ２の最先端の小径部（導体部）に圧着され、第２圧着部３６はケーブルＣ２の中径部（被覆内層）に圧着されている。第２圧着部３５の先端側には、僅かに拡径された筒状部３０ｔと、筒状部３０ｔに続く棒状端子３１とが一体的に形成されている。筒状部３０ｔの外周には、端子３０の基端側に向かって斜め外側に延びた一対のランス３３が設けられている。
【００３６】
端子３０をプラグ７０に対して後方から挿入して行くと、ランス３３の先端がプラグ７０の基端部２の隔壁部１２の内面によって内側に揺動変形される。さらに挿入すると、ランス３３の先端が、隔壁部１２の内面に形成された凹部状の係止部１２ａに進入して、外力の作用しない開いた状態に弾性的に復帰してここに係止され、端子３０はプラグ７０に対して、抜け出し（後方向きの変位）を規制された形態で装着される。
本明細書に記された導線という用語は、本実施形態では、互いに接続されたケーブルＣ１と端子２０、および、ケーブルＣ２と端子３０の組み合わせを指す。
【００３７】
（パッキン）
ソケット６０とケーブルＣ１の間、および、プラグ７０とケーブルＣ２の間には、図８に例示したゴム製の筒状パッキン５０が介装されている。筒状パッキン５０は円筒状の小径部５２と大径部５４、および、小径部５２と大径部５４を接続する部分円錐状の遷移部５３からなる。
大径部５４の外周には複数（ここでは５本）の第１環状リブ５５が軸心方向に沿って等間隔で設けられており、大径部５４の内周にも複数（ここでは３本）の第２環状リブ５６が軸心方向に沿って等間隔で設けられている。互いに隣接する各２つの第１環状リブ５５どうしは、内側の第１環状リブ５５を中間（略中心位置）に一つずつ配置させるように位置している。
【００３８】
ケーブルＣ１に端子２０を接続する前に、筒状パッキン５０をケーブルＣ１に外嵌設置する際、筒状パッキン５０の小径部５２をケーブルＣ１の中径部（被覆内層）に外嵌させ、大径部５４の大半をケーブルＣ１の大径部（被覆外層）に外嵌させる。この時、筒状パッキン５０の大径部５４の内面にある第２環状リブ５６がケーブルＣ１の大径部を軽く締め付けることで、筒状パッキン５０がケーブルＣ１に仮固定される。
この状態で、端子２０の第１圧着部２５を工具で「かしめ」加工すると、第１圧着部２５がケーブルＣ１の小径部（導体部）と電気的に接続される。同様に第２圧着部２６を、ケーブルＣ１の中径部に外嵌された筒状パッキン５０の小径部５２の上から「かしめ」加工すると、端子２０がケーブルＣ１に固定され、同時に筒状パッキン５０とケーブルＣ１との固定も完了する。
【００３９】
そこで、筒状パッキン５０と端子２０とを接続したケーブルＣ１を、ソケット６０に後方から挿入すれば、パッキン５０の大径部５４はケーブルＣ１の大径部（被覆外層）と共に、ソケット６０の基端部２の内面２ａに圧入されて行く。この時、パッキン５０の複数の第１環状リブ５５が前から順にパッキン５０の軸心方向に圧縮されるような弾性変形を起こしながら圧入されるが、同時に、各第１環状リブ５５の間に（異相状に）配置された第２環状リブ５６も僅かな弾性変形を伴いながらケーブルＣ１の大径部の外周に食い込んでいく。これらの２つの現象が平行して進み、ケーブルＣ１と端子２０の装着が完了するまでに、高いシール効果が得られる。
【００４０】
尚、ケーブルＣ１の大径部に外嵌された筒状パッキン５０の円滑な装着を促し、且つ、装着後のシール性を高めるために、ソケット６０の基端部２の内面２ａは平滑面となっており、同時に、後方に向かって次第に拡径される僅かなテーパ状を呈している。
【００４１】
本発明による中継コネクタは、例えば、太陽発電パネルの出力部から発電された電力を取り出すケーブルと、同ケーブルが搬送する電力を遠隔地まで届けるための延長ケーブルとの間の電気的ジョイントとして用いられる。このような適用例では、特に中継コネクタが戸外の環境に晒されることが多いので、その全天候型の防水性能、装着時の電気的接続性の確かさ、着脱の容易性が特に有効となる。しかし、本発明による中継コネクタは、勿論この例に限らず、より広く種々の機器間での電気的ジョイントとして適用することができる。
【図面の簡単な説明】
【００４２】
【図１】本発明による中継コネクタの連結前の状態を示す外観斜視図
【図２】本発明による中継コネクタの連結後の状態を示す外観斜視図
【図３】本発明による中継コネクタ（連結の前後）を示す破断側面図
【図４】中継コネクタとケーブルの装着前の状態を示す破断側面図
【図５】本発明によるプラグの破断正面図
【図６】本発明によるソケットと装着されたケーブルを示す破断側面図
【図７】ケーブルに接続される端子（ソケット用）を示す外観斜視図
【図８】筒状パッキンを示す破断側面図
【符号の説明】
【００４３】
Ｓ１  環状空間
Ｓ２  空間
６０  ソケット
７０  プラグ
Ｃ１  ケーブル
Ｃ２  ケーブル
２  基端部
３  本体部
４  係止爪
４ａ  案内面
４ｈ  貫通孔
４ｆ  係止部
５  内筒部
５Ｒ  リブ（規制部、第２保持機構）
９  被係止部
９ａ  案内面
１０  基端部
１１  本体部
１３  カバー部
１４  シールリング
２０  端子（ソケット用）
２１  板バネ状端子
２２  底板部材（板状部材、被規制部材、第２保持機構）
３１  棒状の端子
２３  ランス（第１保持機構）
３０  端子（プラグ用）
５０  パッキン
５５  第１環状リブ
５６  第２環状リブ
８０  ロック機構
９０  ロック解除リング
１００  中継コネクタ
【図１】
2009230924.tif 000003
【図２】
2009230924.tif 000004
【図３】
2009230924.tif 000005
【図４】
2009230924.tif 000006
【図５】
2009230924.tif 000007
【図６】
2009230924.tif 000008
【図７】
2009230924.tif 000009
【図８】
2009230924.tif 000010